(57)【要約】      （修正有）【課題】ユーザー所望のアクセスポイントを容易に検索することが可能な通信装置を提供する。【解決手段】通信装置１００は、アクセスポイント２１０を介してネットワークにアクセスするネットワーク通信部１２０と、ネットワーク通信部１２０と接続可能なアクセスポイント２１０を接続先候補として表示し、接続先候補からアクセスポイントを指定する指定操作を受け付ける操作パネル３と、指定されたアクセスポイント２１０にネットワーク通信部１２０を接続させる制御部１１０と、を備える。制御部１１０は、検索条件を設定する条件設定操作の受け付けを操作パネル３に行わせ、条件設定操作を受け付けると、条件設定操作により設定された検索条件を満たすアクセスポイント２１０を検索し、当該検索によって見つかったアクセスポイントを接続先候補として操作パネル３に表示させる。【選択図】図１
2018067749.tif 000002
【特許請求の範囲】
【請求項１】
無線ＬＡＮで構成されるネットワークのアクセスポイントを介して前記ネットワークにアクセスする通信部と、
前記通信部と接続可能な前記アクセスポイントを接続先候補として表示し、前記接続先候補から前記アクセスポイントを指定する指定操作を受け付ける操作表示部と、
前記指定操作により指定された前記アクセスポイントに前記通信部を接続させる制御部と、を備え、
前記制御部は、前記接続先候補として表示する前記アクセスポイントを検索するための検索条件を設定する条件設定操作の受け付けを前記操作表示部に行わせ、前記操作表示部が前記条件設定操作を受け付けると、前記条件設定操作により設定された前記検索条件を満たす前記アクセスポイントを検索し、当該検索によって見つかった前記アクセスポイントを前記接続先候補として前記操作表示部に表示させることを特徴とする通信装置。
【請求項２】
前記操作表示部は、文字を１字入力する操作を前記条件設定操作として受け付け、
前記制御部は、前記操作表示部が前記条件設定操作として前記文字を１字入力する操作を受け付けると、前記条件設定操作により入力された前記文字と一致する先頭文字を有するＳＳＩＤが割り当てられた前記アクセスポイントを検索し、当該検索によって見つかった前記アクセスポイントを前記接続先候補として前記操作表示部に表示させることを特徴とする請求項１に記載の通信装置。
【請求項３】
前記操作表示部は、文字列を入力する操作を前記条件設定操作として受け付け、
前記制御部は、前記操作表示部が前記条件設定操作として前記文字列を入力する操作を受け付けると、前記条件設定操作により入力された前記文字列と一致する文字列を含むＳＳＩＤが割り当てられた前記アクセスポイントを検索し、当該検索によって見つかった前記アクセスポイントを前記接続先候補として前記操作表示部に表示させることを特徴とする請求項１または２に記載の通信装置。
【請求項４】
前記操作表示部は、通信規格を入力する操作を前記条件設定操作として受け付け、
前記制御部は、前記操作表示部が前記条件設定操作として前記通信規格を入力する操作を受け付けると、前記条件設定操作により入力された前記通信規格と同じ通信規格で通信する前記アクセスポイントを検索し、当該検索によって見つかった前記アクセスポイントを前記接続先候補として前記操作表示部に表示させることを特徴とする請求項１〜３のいずれか１項に記載の通信装置。
【請求項５】
前記操作表示部は、周波数帯を入力する操作を前記条件設定操作として受け付け、
前記制御部は、前記操作表示部が前記条件設定操作として前記周波数帯を入力する操作を受け付けると、前記条件設定操作により入力された前記周波数帯と同じ周波数帯で通信する前記アクセスポイントを検索し、当該検索によって見つかった前記アクセスポイントを前記接続先候補として前記操作表示部に表示させることを特徴とする請求項１〜４のいずれか１項に記載の通信装置。
【請求項６】
前記操作表示部は、前記接続先候補を表示するとき、検索キーを表示し、
前記制御部は、前記検索キーに対する操作が行われたとき、前記条件設定操作の受け付けを前記操作表示部に行わせることを特徴とする請求項１〜５のいずれか１項に記載の通信装置。
【請求項７】
請求項１〜６のいずれか１項に記載の通信装置を備える画像形成装置。
【発明の詳細な説明】
【技術分野】
【０００１】
本発明は、無線ＬＡＮ（Ｌｏｃａｌ  Ａｒｅａ  Ｎｅｔｗｏｒｋ）で構成されるネットワークにアクセス可能な通信装置および画像形成装置に関する。
【背景技術】
【０００２】
近年、無線ＬＡＮの普及に伴い、通信装置に無線ＬＡＮ機能を搭載することが多くなっている。無線ＬＡＮ機能を搭載する通信装置は、無線ＬＡＮで構成されるネットワークに対して、当該ネットワークの無線ＬＡＮアクセスポイント（以下、ＡＰと称する）を介してアクセスする。
【０００３】
たとえば、特許文献１の通信装置（プリント装置）は、ＡＰから発信されるビーコン信号に基づきネットワークに設置されたＡＰを検出し、当該検出したＡＰ（ＡＰの識別子）を選択肢としてユーザーに提示する。そして、通信装置は、ユーザー所望のＡＰの選択を受け付け、ユーザーにより選択されたＡＰに接続する（当該ＡＰが設置されたネットワークにアクセスする）。
【先行技術文献】
【特許文献】
【０００４】
【特許文献１】特開２００６−１４１０１２号公報
【発明の概要】
【発明が解決しようとする課題】
【０００５】
特許文献１の通信装置において、通信装置により検出されたＡＰ（識別子）が選択肢としてユーザーに提示されると、ユーザーは、選択肢として提示されたＡＰの識別子を確認しながら所望のＡＰを検索する。このとき、選択肢として提示されたＡＰの数が少なければ、ユーザー所望のＡＰを容易に見つけることができる。
【０００６】
しかし、たとえば、無線ＬＡＮで構成されるネットワークが複数併存し、さらに、複数のＡＰが各ネットワークに設置される場合には、非常に多くのＡＰが選択肢としてユーザーに提示される。この場合には、ユーザー所望のＡＰが見つかるまでに時間がかかるという不都合が生じる。
【０００７】
本発明は、上記課題を解決するためになされたものであり、ユーザー所望のＡＰを容易に検索することが可能な通信装置および画像形成装置を提供することを目的とする。
【課題を解決するための手段】
【０００８】
上記課題を解決するため、本発明の通信装置は、無線ＬＡＮで構成されるネットワークのアクセスポイントを介してネットワークにアクセスする通信部と、通信部と接続可能なアクセスポイントを接続先候補として表示し、接続先候補からアクセスポイントを指定する指定操作を受け付ける操作表示部と、指定操作により指定されたアクセスポイントに通信部を接続させる制御部と、を備える。そして、制御部は、接続先候補として表示するアクセスポイントを検索するための検索条件を設定する条件設定操作の受け付けを操作表示部に行わせ、操作表示部が条件設定操作を受け付けると、条件設定操作により設定された検索条件を満たすアクセスポイントを検索し、当該検索によって見つかったアクセスポイントを接続先候補として操作表示部に表示させる。
【０００９】
本発明の構成では、非常に多くのアクセスポイントが通信装置と接続可能な環境であっても、操作表示部に対して条件設定操作を行うことにより、条件設定操作により設定した検索条件を満たすアクセスポイントだけを接続先候補として操作表示部に表示させることができる。すなわち、操作表示部に接続先候補として表示されるアクセスポイントを少なくすることができる。これにより、ユーザー所望のアクセスポイントを容易に検索することができる。
【発明の効果】
【００１０】
本発明によれば、ユーザー所望のアクセスポイントを容易に検索することができる。
【図面の簡単な説明】
【００１１】
【図１】本発明の一実施形態による複合機の構成を示す図
【図２】本発明の一実施形態による複合機が行う通信確立処理の流れについて説明するためのフローチャート
【図３】本発明の一実施形態による複合機が表示するネットワーク設定画面を示す図
【図４】本発明の一実施形態による複合機が表示する詳細検索画面を示す図
【図５】本発明の一実施形態による複合機が表示する詳細検索画面を示す図
【図６】本発明の一実施形態による複合機が表示する詳細検索画面を示す図
【図７】本発明の一実施形態による複合機が表示する詳細検索画面を示す図
【図８】本発明の一実施形態による複合機が表示するネットワーク設定画面を示す図
【図９】本発明の一実施形態による複合機が表示するネットワーク設定画面を示す図
【発明を実施するための形態】
【００１２】
本発明の一実施形態による通信装置を備える画像形成装置について、無線ＬＡＮ機能を搭載する複合機を例に説明する。
【００１３】
＜複合機の構成＞
図１に示すように、本実施形態の複合機１００は、画像読取部１、印刷部２および操作パネル３（「操作表示部」に相当）を備える。画像読取部１は、原稿を読み取って原稿の画像データを生成する。印刷部２は、画像データ（たとえば、画像読取部１により生成された原稿の画像データ）に基づきトナー像を形成し、用紙にトナー像を転写する。
【００１４】
操作パネル３は、タッチパネルディスプレイ３１を含む。タッチパネルディスプレイ３１は、ソフトウェアキーなどを配した画面を表示し、画面（ソフトウェアキー）に対するタッチ操作をユーザーから受け付ける。なお、操作パネル３には、ジョブの実行指示をユーザーから受け付けるためのスタートキーなど、複数種のハードウェアキー３２が設けられる。
【００１５】
画像読取部１、印刷部２および操作パネル３は、制御部１１０に接続される。制御部１１０は、画像読取部１の読取動作および印刷部２の印刷動作をそれぞれ制御する。また、制御部１１０は、操作パネル３に対して行われた操作（タッチパネルディスプレイ３１に対するタッチ操作やハードウェアキー３２に対する押下操作）を検知し、当該検知した操作に基づき処理を実行する。
【００１６】
制御部１１０は、ＣＰＵ１１１、ＲＯＭ１１２、ＲＡＭ１１３およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１１４を含む。複合機１００の制御に必要なプログラムやデータは、ＲＯＭ１１２に記憶され、ＲＡＭ１１３に展開される。そして、ＣＰＵ１１１は、制御用のプログラムやデータに基づき動作し、種々の処理を実行する。ＡＳＩＣ１１４は、たとえば、画像処理や通信処理など特定処理の一部または全部をハード的に実行する。
【００１７】
また、複合機１００は、無線ＬＡＮで構成されるネットワーク２００にアクセスするためのネットワーク通信部１２０（「通信部」に相当）を備える。ネットワーク通信部１２０は、制御部１１０に接続される。そして、制御部１１０は、ネットワーク通信部１２０を介して行う通信（ネットワーク２００へのアクセス）を制御する。
【００１８】
ネットワーク通信部１２０は、無線ＬＡＮ通信を行うための無線ＬＡＮボードを含み、ネットワーク２００の無線ＬＡＮアクセスポイント２１０（以下、ＡＰ２１０と称する）と無線ＬＡＮ接続される。そして、ネットワーク通信部１２０は、制御部１１０から指示を受け、ＡＰ２１０を介してネットワーク２００にアクセスする。たとえば、ネットワーク２００には、複合機１００のユーザーにより使用されるパーソナルコンピューターなどが含まれる。
【００１９】
ここで、ネットワーク通信部１２０がアクセス可能なネットワーク２００は複数存在する。また、各ネットワーク２００には複数のＡＰ２１０が設置される。
【００２０】
＜ＡＰの検索＞
複合機１００の無線ＬＡＮ機能は、無線ＬＡＮ機能を有効にする（無線ＬＡＮ機能をオンする）ことによって利用可能になる。たとえば、無線ＬＡＮ機能に関する設定の受け付けは操作パネル３が行う。
【００２１】
制御部１１０は、無線ＬＡＮ機能を有効にするための操作が操作パネル３に対して行われると、ユーザー指定のＡＰ２１０にネットワーク通信部１２０を接続させる通信確立処理を実行する。以下、図２に示すフローチャートを参照し、制御部１１０により行われる通信確立処理について説明する。図２に示すフローチャートは、無線ＬＡＮ機能を有効にするための操作が操作パネル３に対して行われたことを制御部１１０が検知したときにスタートする。
【００２２】
ステップＳ１において、制御部１１０は、パッシブスキャンを一定時間だけ行う。このとき、制御部１１０は、各ＡＰ２１０からブロードキャストされるビーコン信号をネットワーク通信部１２０に受信させる。そして、制御部１１０は、パッシブスキャンを行うことによって、ネットワーク通信部１２０と接続可能なＡＰ２１０を検索する。
【００２３】
そして、ステップＳ２において、制御部１１０は、図３に示すようなネットワーク設定画面３１０を操作パネル３に表示させる。このネットワーク設定画面３１０は、制御部１１０がパッシブスキャンによって検出したＡＰ２１０を接続先候補として表示した画面であり、接続先候補からユーザー所望の接続先（ＡＰ２１０）を指定する指定操作を受け付ける画面である。
【００２４】
ここで、制御部１１０は、パッシブスキャンによって最初に検出したＡＰ２１０から順番に接続先候補としてリストアップするとともに通し番号を付す。そして、制御部１１０は、接続先候補として検出したＡＰ２１０のリストである候補リストＬを操作パネル３に表示させる。
【００２５】
なお、制御部１１０は、パッシブスキャンによって検出したＡＰ２１０の数が予め定められた上限数（たとえば、上限数は「２０」である）を超える場合、上限数分のＡＰ２１０だけを接続先候補として操作パネル３に表示させる。すなわち、ネットワーク設定画面３１０の画面内に接続先候補として表示されるＡＰ２１０の数は上限数以下である。
【００２６】
たとえば、制御部１１０は、ネットワーク通信部１２０が受信したビーコン信号に基づき、ＡＰ２１０のＳＳＩＤ（Ｓｅｒｖｉｃｅ  Ｓｅｔ  Ｉｄｅｎｔｉｆｉｅｒ）を認識する。そして、制御部１１０は、ＡＰ２１０のＳＳＩＤを通し番号順に並べたリストを候補リストＬとして操作パネル３に表示させる。図３では、ＡＰ２１０のＳＳＩＤをアルファベットの羅列で示す。
【００２７】
ネットワーク設定画面３１０の表示後、ステップＳ３に移行する。ステップＳ３に移行すると、制御部１１０は、候補リストＬからＡＰ２１０（ＳＳＩＤ）を指定する指定操作が操作パネル３に対して行われたか否かを判断する。たとえば、制御部１１０は、候補リストＬにリストアップされたいずれかのＡＰ２１０の表示領域に対してタッチ操作が行われると、当該タッチ操作を指定操作として検知し、当該タッチ操作を受けた表示領域に表示されたＡＰ２１０をユーザー指定のＡＰ２１０として認識する。たとえば、ユーザー指定のＡＰ２１０の表示領域は表示色が反転される（図３に示す状態となる）。
【００２８】
ステップＳ３において、操作パネル３（ネットワーク設定画面３１０）に対して指定操作が行われたと制御部１１０が判断した場合には、ステップＳ４に移行する。ステップＳ４に移行すると、制御部１１０は、ユーザー指定のＡＰ２１０にネットワーク通信部１２０を接続させる。
【００２９】
たとえば、制御部１１０は、操作パネル３に対して指定操作が行われ、続けて、ネットワーク設定画面３１０のＯＫキー１０（図３参照）に対するタッチ操作が行われると、ユーザー指定のＡＰ２１０に割り当てられたキーコードを入力するための画面（図示せず）を操作パネル３に表示させる。そして、制御部１１０は、操作パネル３に入力されたキーコードを用いて、ユーザー指定のＡＰ２１０にネットワーク通信部１２０を接続させるための処理を行う。なお、ユーザーが間違ったキーコードを入力した場合や、ユーザーがキーコードを入力しなかった場合には、ユーザー指定のＡＰ２１０を使用することはできない。
【００３０】
ステップＳ３において、操作パネル３に対して指定操作が行われていないと制御部１１０が判断した場合には、ステップＳ５に移行する。ステップＳ５に移行すると、制御部１１０は、ネットワーク設定画面３１０の検索キーＳＫ（図３参照）に対するタッチ操作が行われたか否かを判断する。その結果、検索キーＳＫに対するタッチ操作が行われたと制御部１１０が判断した場合には、ステップＳ６に移行し、検索キーＳＫに対するタッチ操作が行われていないと制御部１１０が判断した場合には、ステップＳ３に移行する。
【００３１】
ステップＳ６に移行すると、制御部１１０は、図４〜図７に示すような詳細検索画面３２０を操作パネル３に表示させる。詳細検索画面３２０は、ユーザー所望のＡＰ２１０を検索するための検索条件を設定する条件設定操作を受け付ける画面である。なお、詳細検索画面３２０および条件設定操作については後に詳細に説明する。
【００３２】
検索条件が設定されると、ステップＳ７に移行する。ステップＳ７に移行すると、制御部１１０は、検索条件を満たすＡＰ１２０の検索（詳細検索）を行う。このとき、制御部１１０は、パッシブスキャンを行い、各ＡＰ２１０からブロードキャストされるビーコン信号（ネットワーク通信部１２０が受信したビーコン信号）に基づき、ビーコン信号の発信元が検索条件を満たすＡＰ２１０であるか否かを判断する。
【００３３】
そして、ステップＳ８において、制御部１１０は、検索条件を満たすＡＰ２１０を接続先候補としてリストアップするとともに通し番号を付し、再度、ネットワーク設定画面３１０を操作パネル３１０に表示させる。このときには、検索条件を満たすＡＰ２１０（ＳＳＩＤ）だけが接続先候補として操作パネル３に表示される。このため、図８および図９に示すように、今回（詳細検索後）のネットワーク設定画面３１０では、前回（詳細検索前）のネットワーク設定画面３１０よりも、接続先候補の表示数が少なくなる。
【００３４】
その後、ステップＳ３に移行し、制御部１１０は、候補リストＬからＡＰ２１０（ＳＳＩＤ）を指定する指定操作が操作パネル３に対して行われたか否かを判断する。ここで、今回表示されるネットワーク設定画面３１０には、前回表示されたネットワーク設定画面３１０と同様、検索キーＳＫが配置される。そして、検索キーＳＫに対するタッチ操作が行われた場合、制御部１１０は、詳細検索画面３２０を操作パネル３に表示させ、当該表示された詳細検索画面３２０に対する条件設定操作によって新たに設定された検索条件に基づき詳細検索を再度行う。
【００３５】
次に、図４〜図７を参照し、操作パネル３がユーザーから条件設定操作を受け付けるときに表示する詳細検索画面３２０（３２１、３２２、３２３および３２４）について説明する。
【００３６】
図４に示す詳細検索画面３２１は、ユーザー所望のＡＰ２１０のＳＳＩＤの先頭文字を入力する操作（文字を１字入力する操作）を条件設定操作として受け付ける画面である。この詳細設定画面３２１に対して文字を１字入力すると、入力文字が入力欄２１に表示される。図４では、一例として、文字「Ａ」が入力された場合を図示する。
【００３７】
そして、詳細設定画面３２１に文字が１字入力され、ＯＫキー２０に対するタッチ操作が行われると、制御部１１０は、条件設定操作によって入力された文字と一致する先頭文字を有するＳＳＩＤが割り当てられたＡＰ２１０を接続先候補として操作パネル３に表示させる。たとえば、文字「Ａ」を入力した場合には、図８下図に示すように、ＳＳＩＤの先頭文字が文字「Ａ」であるＡＰ２１０が接続先候補として操作パネル３に表示される。
【００３８】
図５に示す詳細検索画面３２２は、ユーザー所望のＡＰ２１０のＳＳＩＤに含まれる文字列を入力する操作を条件設定操作として受け付ける画面である。この詳細設定画面３２２に対して文字列を入力すると、入力文字列が入力欄２２に表示される。図５では、一例として、文字列「ＡＢ」が入力された場合を図示する。なお、詳細設定画面３２２に入力可能な文字列の文字数は特に限定されず、２字以上の文字を含む文字列を詳細設定画面３２２に入力してもよい。
【００３９】
そして、詳細設定画面３２２に文字列が入力され、ＯＫキー２０に対するタッチ操作が行われると、制御部１１０は、条件設定操作によって入力された文字列と一致する文字列を含むＳＳＩＤが割り当てられたＡＰ２１０を接続先候補として操作パネル３に表示させる。たとえば、文字列「ＡＢ」を入力した場合には、図９に示すように、ＳＳＩＤに文字列「ＡＢ」を含むＡＰ２１０が接続先候補として操作パネル３に表示される。
【００４０】
図６に示す詳細検索画面３２３は、ユーザー所望のＡＰ２１０の通信規格（ＩＥＥＥ８０２．１１ａ、ＩＥＥＥ８０２．１１ｂ、ＩＥＥＥ８０２．１１ｇ、ＩＥＥＥ８０２．１１ｎおよびＩＥＥＥ８０２．１１ａｃ）を入力するための画面である。詳細検索画面３２３には、複数の通信規格が選択肢Ｃ１として表示される。そして、操作パネル３は、選択肢Ｃ１から通信規格を選択する操作（通信規格の表示領域をタッチする操作）を条件設定操作として受け付ける。たとえば、条件設定操作により選択された通信規格の表示領域は表示色が反転される。詳細設定画面３２３において通信規格が選択され、ＯＫキー２０に対するタッチ操作が行われると、図示しないが、制御部１１０は、条件設定操作によって入力（選択）された通信規格で通信を行うＡＰ２１０を接続先候補として操作パネル３に表示させる。
【００４１】
図７に示す詳細検索画面３２４は、ユーザー所望のＡＰ２１０の使用周波数帯（２．４ＧＨｚおよび５ＧＨｚ）を入力するための画面である。詳細設定画面３２４には、複数の周波数帯が選択肢Ｃ２として表示される。そして、操作パネル３は、選択肢Ｃ２から周波数帯を選択する操作（周波数帯の表示領域をタッチする操作）を条件設定操作として受け付ける。たとえば、条件設定操作により選択された周波数帯の表示領域は表示色が反転される。詳細設定画面３２４において周波数帯が選択され、ＯＫキー２０に対するタッチ操作が行われると、図示しないが、制御部１１０は、条件設定操作によって入力（選択）された周波数帯で通信を行うＡＰ２１０を接続先候補として操作パネル３に表示させる。
【００４２】
なお、各詳細設定画面３２０には、切替キーＣＫが配置される。そして、制御部１１０は、切替キーＣＫに対するタッチ操作を検知すると、現在表示中の詳細設定画面３２０から別の詳細設定画面３２０への画面切替を操作パネル３に行わせる。
【００４３】
本実施形態の複合機１００（通信装置、画像形成装置）は、無線ＬＡＮで構成されるネットワーク２００のＡＰ２１０を介してネットワーク２００にアクセスするネットワーク通信部１２０（通信部）と、ネットワーク通信部１２０と接続可能なＡＰ２１０を接続先候補として表示し、接続先候補からＡＰ２１０を指定する指定操作を受け付ける操作パネル３（操作表示部）と、指定操作により指定されたＡＰ２１０にネットワーク通信部１２０を接続させる制御部１１０と、を備える。そして、制御部１１０は、接続先候補として表示するＡＰ２１０を検索するための検索条件を設定する条件設定操作の受け付けを操作パネル３に行わせ、操作パネル３が条件設定操作を受け付けると、条件設定操作により設定された検索条件を満たすＡＰ２１０を検索し、当該検索によって見つかったＡＰ２１０を接続先候補として操作パネル３に表示させる。
【００４４】
本実施形態の構成では、非常に多くのＡＰ２１０が複合機１００と接続可能な環境であっても、操作パネル３に対して条件設定操作を行うことにより、条件設定操作により設定した検索条件を満たすＡＰ２１０だけを接続先候補として操作パネル３に表示させることができる。
【００４５】
具体的には、文字を１字入力する操作を条件設定操作として行えば、入力文字と一致する先頭文字を有するＳＳＩＤが割り当てられたＡＰ２１０だけを接続先候補として操作パネル３に表示させることができる。あるいは、文字列を入力する操作を条件設定操作として行えば、入力文字列と一致する文字列を含むＳＳＩＤが割り当てられたＡＰ２１０だけを接続先候補として操作パネル３に表示させることができる。
【００４６】
また、通信規格を入力する操作を条件設定操作として行えば、当該入力した通信規格と同じ通信規格で通信するＡＰ２１０だけを接続先候補として操作パネル３に表示させることができる。
【００４７】
さらに、周波数帯を入力する操作を条件設定操作として行えば、当該入力した周波数帯と同じ周波数帯で通信するＡＰ２１０だけを接続先候補として操作パネル３に表示させることができる。
【００４８】
このように、操作パネル３に対して条件設定操作を行えば、操作パネル３に接続先候補として表示されるＡＰ２１０を少なくすることができる。これにより、ユーザー所望のＡＰ２１０を容易に検索することができる。
【００４９】
なお、図示しないが、ユーザーから条件設定操作を受け付けるときに、ＡＰ２１０の電波強度の値を入力するための画面を操作パネル３に表示してもよい。たとえば、当該画面に対して電波強度の値を入力すると、電波強度が入力値以上のＡＰ２１０が接続先候補として操作パネル３に表示される。
【００５０】
また、本実施形態では、上記のように、操作パネル３は、ネットワーク設定画面３１０に候補リストＬ（接続先候補として検出されたＡＰ２１０のリスト）と共に検索キーＳＫを表示する。そして、制御部１１０は、検索キーＳＫに対してタッチ操作が行われると、詳細検索画面３２０を操作パネル３に表示させる（条件設定操作の受け付けを操作パネル３に行わせる）。これにより、ネットワーク設定画面３１０に表示された接続先候補の中にユーザー所望のＡＰ２１０が存在しなかった場合（詳細検索を行いたい対場合）、検索キーＳＫに対してタッチ操作を行うだけで、詳細設定画面３２０を表示させることができる。
【００５１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５２】
３  操作パネル（操作表示部）
１００  複合機（通信装置、画像形成装置）
１１０  制御部
１２０  ネットワーク通信部（通信部）
２００  ネットワーク
２１０  ＡＰ（アクセスポイント）
【図１】
2018067749.tif 000003
【図２】
2018067749.tif 000004
【図３】
2018067749.tif 000005
【図４】
2018067749.tif 000006
【図５】
2018067749.tif 000007
【図６】
2018067749.tif 000008
【図７】
2018067749.tif 000009
【図８】
2018067749.tif 000010
【図９】
2018067749.tif 000011